(57)【要約】【課題】簡単かつ安価な構成により、スクリーン４同士の接合と解除を行う。【解決手段】両端ブラケット６に軸受されたシャフト７にそれぞれ巻付けられ、シャフト７の回転により互いに接近して繰出し、巻上げ動作される少なくとも一対のスクリーン４を備えたロールスクリーン４において、各スクリーン４の隣接縁部に沿ってファスナー１０を設けるとともに、各スクリーン４の繰出し端に下部にファスナー１０同士の係合及びその解除を行うためのスライダー１４を、連結用ばね１３を介して弾力性を有する状態で固定配置し、繰出し時において、ファスナー１０がスライダー１４を通過することで、スクリーン４がファスナー１０を介して互いに接合し、巻取り時において、ファスナー１０がスライダー１４を通過することで離間してスクリーン４同士の接合を解除し、各別に巻取られるようにした。【選択図】    図３
2006022635.tif 000002
【特許請求の範囲】
【請求項１】
回転可能なシャフトに巻付けられ、該シャフトの回転動作により、その縁部が互いに接近した状態で繰出し巻上げ動作される少なくとも一対のスクリーンを備えたロールスクリーンにおいて、
前記各スクリーンの隣接縁部に沿ってファスナーを設けるとともに、前記各スクリーンの繰出し端に前記ファスナー同士の接合およびその解除を行うためのスライダーを、弾力性を有する状態で固定配置し、前記各スクリーンの繰出し時において、前記各ファスナーが前記スライダーを通過することで、前記スクリーン同士がファスナーを介して互いに接合し、前記各スクリーンの巻取り時において、前記各ファスナーが前記スライダーを通過することで離間して各スクリーン同士の接合を解除し、前記シャフトに各別に巻取られるようにしたことを特徴とするロールスクリーンのジョイント構造。
【請求項２】
請求項１において、前記各シャフトが所定の交差角をなして配置されていることを特徴とするロールスクリーンのジョイント構造。
【請求項３】
請求項２において、前記シャフトの交差部分を回転伝達手段を介して連結し、一方のシャフトの回転力を他方のシャフトに伝達することを特徴とするロールスクリーンのジョイント構造。
【請求項４】
請求項２または３において、前記スライダーにより前記ファスナー同士を係合させ、また係合解除する際に、前記スライダーで噛合う左右の噛合素子が略一直に並ぶように該スライダーの左右近傍における前記スクリーンに当接して、その形状を矯正するスクリーン矯正部材を設けたことを特徴とするロールスクリーンのジョイント構造。
【請求項５】
請求項４において、前記スクリーン矯正部材は、一端が前記スライダーと係合され、他端がガイド板等の不動の部材に固定された取付材に係合される支柱と、
該支柱の左右に並設されて、先端にガイド金具が設けられると共に、該ガイド金具が前記スクリーン側に付勢されて、前記ガイド金具と前記スライダーとを結ぶ直線のなす角度が１２０°〜１８０°の範囲で前記ロールスクリーンの形状を矯正する腕とを備えることを特徴とするロールスクリーンのジョイント構造。
【請求項６】
請求項５において、前記スライダーと前記支柱とが、チェーン、ばね等の可撓性部材を介して係合されて、左右の前記スクリーンの動きに追従して前記スライダーが動くことができるようにしたことを特徴とするロールスクリーンのジョイント構造。
【請求項７】
請求項５において、前記取付材と前記支柱とが、チェーン、ばね等の可撓性部材を介して係合されて、左右の前記スクリーンの動きに追従して前記スライダー及び前記ガイド金具が動くことができるようにしたことを特徴とするロールスクリーンのジョイント構造。
【請求項８】
請求項２〜７のいずれかにおいて、隣合う前記スクリーンの各接合端部に沿って設けられて、左右の前記スクリーンを係合した際に、その解放端同士が互いに密に当接し合うファスナーカバーを設けたことを特徴とするロールスクリーンのジョイント構造。
【請求項９】
請求項２〜８のいずれかにおいて、前記各シャフトが所定の交差角をなすコーナー部の内側及び／又は外側の領域に、
前記各スクリーン同士が前記ファスナーを介して互いに接合するファスナー接合部が水平移動した際に、前記スライダーを追従して所定領域内にて水平移動させるためのガイドレールを備えたコーナー規制装置を設けたことを特徴とするロールスクリーンのジョイント構造。
【請求項１０】
請求項９において、前記コーナー規制装置は、
前記スライダーを前記所定領域内にて水平移動可能となるように規制する円弧状のガイドレールと、
該ガイドレールに沿ってスライドするスライド部材と、
該スライド部材と前記スライダーとを弾力性を有する状態で引き繋ぐ引き手部材と、
を備えたことを特徴とするロールスクリーンのジョイント構造。
【請求項１１】
請求項１〜１０のいずれかにおいて、前記各シャフトのスクリーン巻取り軸の横幅を前記各スクリーンの横幅よりも広くし、前記各シャフトのスクリーン巻取り軸の横幅からはみ出た領域にある前記各スクリーンの隣接縁部に、前記ファスナーを構成するファスナーテープを設けたことを特徴とするロールスクリーンのジョイント構造。
【請求項１２】
請求項１１において、前記ファスナーテープを一定の緊張度及び角度で前記スライダーに繰出し可能とするためのガイド装置を設けたことを特徴とするロールスクリーンのジョイント構造。
【請求項１３】
請求項１２において、前記ガイド装置は、
前記ファスナーテープが繰出され或いは巻取られるとともに回転可能なローラー機構を備えたことを特徴とするロールスクリーンのジョイント構造。
【請求項１４】
請求項２〜１３のいずれかにおいて、前記スクリーンの下端部にウェイト兼用の座板が設けられており、
該座板は、コーナー部に設けられたコーナー座板と、該コーナー座板に隣接して設けられる座板ピースとに分割されており、
前記コーナー座板と前記座板ピースとの間に熱膨張を吸収するための間隙が設けられていることを特徴とするロールスクリーンのジョイント構造。
【発明の詳細な説明】
【技術分野】
【０００１】
本発明は、隣合うスクリーン同士を気密に接合するためのロールスクリーンのジョイント構造に関する。
【背景技術】
【０００２】
ロール可動式の防火垂壁や、防火防煙スクリーンシャッターにより長い距離の垂れ壁や、区画を形成する場合、一本の長いシャフトにスクリーンを巻取る構造とした場合には、シャフトそのものの重量や、スクリーンの重量でシャフトがたわみ、繰出し、巻上げ動作が困難となる。このため、シャフトを分割してそれぞれの両端を軸受ブラケットに軸受けさせ、複数のスクリーンとする必要があるが、単に複数配列した場合には、隣合うスクリーン間があいてしまう。
【０００３】
そこで従来では、固定式あるいは可動式のガイドレールをスクリーン間に配置する方法や、継手部分に隣合うスクリーンに重なる一枚の補助スクリーンをあてがって同時降下させることにより、スクリーン間の隙間を埋めるものがある（特許文献１，２参照）。
【特許文献１】特開平１０−２９２７５２号公報
【特許文献２】特開平１０−３３７３３７号公報
【発明の開示】
【発明が解決しようとする課題】
【０００４】
しかしながら、スクリーン間にガイドレールを設ける場合、固定式のものであれば、美観に劣るし、日常の空間の使い勝手が悪いものとなる。可動式とした場合には、機構が複雑となり、コストアップなどの問題が生ずる。また、補助スクリーンによるジョイントの場合には、前記の欠点は解消されるものの、気密性の点では不十分であり、遮煙性能に劣るものとなっていた。
【０００５】
本発明は、以上の課題を解決するためのものであり、その目的とするところは、安価かつ簡単な構成を付加することで、繰出し状態で隣合うスクリーン同士が自動的に接合し、巻取り状態で接合が解除されて各シャフトに個別に巻取られるようにしたロールスクリーンのジョイント構造を提供するものである。
【課題を解決するための手段】
【０００６】
前記目的を達成するため、請求項１に係る発明は、回転可能なシャフトに巻付けられ、該シャフトの回転動作により、その縁部が互いに接近した状態で繰出し巻上げ動作される少なくとも一対のスクリーンを備えたロールスクリーンにおいて、前記各スクリーンの隣接縁部に沿ってファスナーを設けるとともに、前記各スクリーンの繰出し端に前記ファスナー同士の接合およびその解除を行うためのスライダーを、弾力性を有する状態で固定配置し、前記各スクリーンの繰出し時において、前記各ファスナーが前記スライダーを通過することで、前記スクリーン同士がファスナーを介して互いに接合し、前記各スクリーンの巻取り時において、前記各ファスナーが前記スライダーを通過することで離間して各スクリーン同士の接合を解除し、前記シャフトに各別に巻取られるようにしたことを特徴とするものである。
【０００７】
すなわち、本発明では、衣類、鞄その他の縫製品一般に用いられるファスナーにおいて、通常の使用法とは逆にスライダーを、弾力性を有する状態で固定配置しておき、これにファスナーを通過させることで、スライダーの下部側ではスクリーン同士が接合され、上部側では分離できるようにしたもので、下降展開状態で隣合うスクリーン同士を気密に接合できる。
【０００８】
さらに、請求項２に係る発明では、請求項１において、前記各シャフトが所定の交差角をなして配置されていることを特徴としてもよい。
【０００９】
さらに、請求項３に係る発明では、請求項２において、前記シャフトの交差部分を回転伝達手段を介して連結し、一方のシャフトの回転力を他方のシャフトに伝達することにより、一つの開閉駆動機構により、交差角をなす複数のスクリーンを駆動できる。
【００１０】
さらに、請求項４に係る発明では、請求項２又は３において、前記スライダーにより前記ファスナー同士を係合させ、また係合解除する際に、前記スライダーで噛合う左右の噛合素子が略一直に並ぶように該スライダーの左右近傍における前記スクリーンに当接して、その形状を矯正するスクリーン矯正部材を設けることで、ファスナー同士を係合させ、また係合解除する際の抵抗を小さくすることができる。
【００１１】
さらに、請求項５に係る発明では、請求項４において、前記スクリーン矯正部材を、一端が前記スライダーと係合され、他端がガイド板等の不動の部材に固定された取付材に係合される支柱と、該支柱の左右に並設されて、先端にガイド金具が設けられると共に、該ガイド金具が前記スクリーン側に付勢されて、前記ガイド金具と前記スライダーとを結ぶ直線のなす角度が１２０°〜１８０°の範囲で前記ロールスクリーンの形状を矯正する腕とにより形成して、ファスナー同士の係合、係合解除をスムースに行うことができる。
【００１２】
さらに、請求項６に係る発明では、請求項５において、前記スライダーと前記支柱とが、チェーン、ばね等の可撓性部材を介して係合されて、左右の前記スクリーンの動きに追従して前記スライダーが動くことができるようにして、スクリーンが揺れてもファスナー同士の係合、係合解除をスムースに行うことができる。
【００１３】
さらに、請求項７に係る発明では、請求項５において、前記取付材と前記支柱とが、チェーン、ばね等の可撓性部材を介して係合されて、左右の前記スクリーンの動きに追従して前記スライダー及び前記ガイド金具が動くことができるようにして、スクリーンが揺れてもファスナー同士の係合、係合解除をスムースに行うことができる。
【００１４】
さらに、請求項８に係る発明では、請求項２〜７のいずれかにおいて、隣合う前記スクリーンの各接合端部に沿って設けられて、左右の前記スクリーンを係合した際に、その解放端同士が互いに密に当接し合うファスナーカバーを設けて、気密性を高めることによりスクリーンの接合部分での遮炎性能や遮煙性能の低下を防止することができる。
【００１５】
さらに、請求項９に係る発明では、請求項２〜８のいずれかにおいて、前記各シャフトが所定の交差角をなすコーナー部の内側及び／又は外側の領域に、前記各スクリーン同士が前記ファスナーを介して互いに接合するファスナー接合部が水平移動した際に、前記スライダーを追従して所定領域内にて水平移動させるためのガイドレールを備えたコーナー規制装置を設けたことを特徴とし、これにより、スライダーがスクリーンの巻ずれ等に追従するため、スクリーンの繰出し巻取り動作がより良好なものとなる。
【００１６】
さらに、請求項１０に係る発明では、請求項９において、前記コーナー規制装置は、前記スライダーを前記所定領域内にて水平移動可能となるように規制する円弧状のガイドレールと、  該ガイドレールに沿ってスライドするスライド部材と、該スライド部材と前記スライダーとを弾力性を有する状態で引き繋ぐ引き手部材と、を備えたことを特徴としてもよい。
【００１７】
さらに、請求項１１に係る発明では、請求項１〜１０のいずれかにおいて、前記各シャフトのスクリーン巻取り軸の横幅を前記各スクリーンの横幅よりも広くし、前記各シャフトのスクリーン巻取り軸の横幅からはみ出た領域にある前記各スクリーンの隣接縁部に、前記ファスナーを構成するファスナーテープを設けたことを特徴とし、これにより、通常ファスナーテープがスクリーンよりも厚手であるにもかかわらず、ファスナー部の巻太りを抑えることができるようになる。
【００１８】
さらに、請求項１２に係る発明では、請求項１１において、前記ファスナーテープを一定の緊張度及び角度で前記スライダーに繰出し可能とするためのガイド装置を設けたことを特徴とし、これにより、ファスナー部の巻太りやスクリーンの巻径の変化等に対して、常にファスナーテープを一定の緊張度（テンション）及び角度でスライダーに繰出すことができるようになり、その結果、スクリーンの繰出し動作がより良好なものとなる。
【００１９】
さらに、請求項１３に係る発明では、請求項１２において、前記ガイド装置は、前記ファスナーテープが繰出され或いは巻取られるとともに回転可能なローラー機構を備えたことを特徴としてもよい。
【００２０】
さらに、請求項１４に係る発明では、請求項２〜１３のいずれかにおいて、前記スクリーンの下端部にウェイト兼用の座板が設けられており、該座板は、コーナー部に設けられたコーナー座板と、該コーナー座板に隣接して設けられる座板ピースとに分割されており、前記コーナー座板と前記座板ピースとの間に熱膨張を吸収するための間隙が設けられていることを特徴とし、これにより、スクリーン下端部の座板が熱膨張したとしてもたわむことなく、その結果、スクリーンの繰出し巻取り動作がより良好なものとなる。
【発明の効果】
【００２１】
以上の説明により明らかなように、本発明によるロールスクリーンのジョイント構造によれば、簡単かつ安価な構成の付加により、繰出し状態で隣合うスクリーン同士が自動的に接合し、巻取り状態で接合が解除され、スクリーンを分離状態で各シャフトに個別に巻取ることができる。
【００２２】
また、スクリーン矯正部材を設けたので、ファスナー同士を係合させ、また係合解除する際の抵抗を小さくすることが可能となり、係合、係合解除をスムースに行うことができる。
【００２３】
さらに、ファスナーカバーを設けたので、スクリーンを係合した際の接合部での気密性が高まり、遮炎性能や遮煙性能の低下を防止することができる。
【００２４】
また、コーナー規制装置を設けたので、スライダーがスクリーンの巻ずれ等に追従するようになるため、スクリーンの繰出し巻取り動作がより良好なものとなる。
【００２５】
また、各シャフトのスクリーン巻取り軸の領域にある各スクリーンの隣接縁部に、ファスナーテープを設けたので、ファスナー部の巻太りを抑えることができるようになる。さらに、ガイド装置を設けたので、スクリーンの繰出し動作がより良好なものとなる。
【００２６】
また、コーナー部付近の座板に間隙を設けたので、スクリーンの繰出し巻取り動作がより良好なものとなる。
【発明を実施するための最良の形態】
【００２７】
以下、添付図面を参照しながら、本発明（ロールスクリーンのジョイント構造）の好ましい実施の形態につき、詳細に説明する。
【００２８】
＝＝＝第一実施形態（本発明の基本構成）＝＝＝
図１〜図３は、本発明の第一実施形態を示す。同図において、天井ボード１で仕切られる天井裏２には、ロールスクリーンのシャッターケース３が配置され、シャッターケース３内に巻取り状態で格納された一対の不燃性織布などからなる不燃性、耐火性ないしは難燃性を有するスクリーン４を、天井ボード１に開ロされたスリットを通じて室内５側に下降させ、室内５をスクリーン４によって二つの区画に仕切るようになっている。
【００２９】
各スクリーン４は、両端を一対の軸受ブラケット６に回転可能に軸受され、かつ軸方向にずらされた平行なシャフト７にそれぞれ巻取られ、その端縁同士は近接状態に配置されている。各シャフト７は、例えば各別の開閉器８によって駆動されるもので、その繰出し端下部には両スクリーン４に共通のウェイト兼用の座板９が連結されている。開閉器８は巻上げ用モータ、クラッチなどを備え、通常はクラッチ接状態としてスクリーン４を巻上げ状態に保持し、非常時にはクラッチ断信号によりクラッチが掛けはずれ、各シャフト７の自由回転を可能とし、ウェイト兼用の座板９の自重によりスクリーン４を下降させて、室内５を区画する。
【００３０】
両スクリーン４の隣接位置には、これの側部端縁に沿ってファスナー１０（ジッパーとも称する）が設けられ、このファスナー１０に対応して両スクリーン４の隣接位置下部には、前記スリットに下面開口させた接合ガイド装置１１が設けられている。このガイド装置１１は、前後の前記スクリーン４の隣接位置下部に固定された前後一対のガイド板１２と、両ガイド板１２の内側に連結用ばね１３を介して弾力性を有する状態で固定配置されたＹ字型のスライダー１４と、スライダー１４の上部に設けられた噛み込み防止用の分岐金物１５とからなっている。
【００３１】
前記各ファスナー１０は、縫製品などに用いられる一般的なもので、特に図３に示すように、スクリーン４の側縁にそれぞれ縫合などにより連結された一対のファスナーテープ１６と、テープ１６の側縁に沿って配列された多数の噛合素子１７（エレメント、あるいはシムとも称するかみ合い部分）及び両テープ１６の下端縁にあって、両テープ１６の下端を連結した下止め具１８とからなっている。
【００３２】
各噛合素子１７は、一般に金属製であって、図３の一部に拡大して示すように、その先端上部に係合突起を、下部に係合凹部を、それぞれ形成したもので、スライダー１４の内部におけるＹ字型通路の下部側合流端で左右の噛合素子同士が合流し、一方の噛合素子１７の係合突起が他方の噛合素子の係合凹部に順次係合することでファスナー１０同士が接合し、また上部側に移動することで係合を解除しつつ左右に分岐状態に離間する。
【００３３】
なお、これ以外にもコイル型と称し、スライダー１４の合流側で合成樹脂製コイル同士が絡み合うことによりファスナー１０同士が接合し、分岐側で絡み合いが解除される構造もあるが、テープ１６の素材として不燃性（ないしは耐火性または難燃性）織布などから構成されたテープ素材、また噛合素子１７、下止め具１８はそれぞれ金属製のものを用いることが望ましい。
【００３４】
さらに、前記分岐金物１５の機能としては、例えば一方のスクリーン４の端縁に、ファスナー１０の表面を覆うための重ね布などが逢着されていた場合に、ファスナー１０の移動時において、この重ね布がスライダー１４に噛み込むことを防止する機能、あるいはそうでない場合においても、異物がスライダー１４に噛み込むことを防止するための機能を備えている。
【００３５】
以上の構成において、前記各スクリーン４の下降時には各噛合素子１７がスライダー１４を通過することにより、スライダー１４の下部位置ではファスナー１０の噛合素子１７同士は係合し、ファスナー１０を介してスクリーン４同士をほぼ気密に接合する。また、上昇時にはスライダー１４の上部位置では噛合素子１７同士は離間し、両スクリーン４は分離し、それぞれのシャフト７に巻取られる。すなわち、両スクリーン４の繰出し下降展開状態では、ファスナー１０同士の係合によりスクリーン４は気密に接合され、巻取り格納状態ではファスナー１０の離間により分離することになる。
【００３６】
以上の上下降時におけるスライダー通過位置の摺動抵抗は、スクリーン４の自重に対して無視することができる値であり、スムースな上下降が可能である。
【００３７】
なお、木実施形態では二枚の隣合うスクリーン４同士の接合に適用したが、さらに幅広い室内空間を仕切る場合には三枚以上の複数のスクリーン４の接合にも適用できる。
【００３８】
＝＝＝第二実施形態（補助スクリーンの設置）＝＝＝
図４，５は、本発明の第二実施形態を示す。本実施形態において、第一実施形態と同一箇所には同一符号を付し、異なる箇所あるいは新たに付加される箇所にのみ新たな符号を付して説明する。
【００３９】
同図において、両スクリーン４のシャフト７は、ジョイント金具２０を介して同軸に連結され、これによって共通の開閉器８によって駆動される。但し、各シャフト７の両端はブラケット６に軸受され、ジョイント金具２０が介在されているため、両スクリーン４の端縁同士は離間してしまい、ファスナー１０による接合は不可となる。
【００４０】
そこで、本実施形態では、両スクリーン４の間にその両端をほぼ接した状態で補助スクリーン２１を平行に配置し、これの巻取り繰出し用の補助シャフト２２の両端をブラケット２３に軸受している。補助スクリーン２１の下端はウェイト兼用の座板９に連結され、かつ補助シャフト２２は図示しないスプリングなどにより、巻取り側に付勢されている。
【００４１】
そして、補助スクリーン２１の両側部には、縫合などによりファスナー１０が設けられ、これらを図５に示すように、一対のスライダー１４内に前記スクリーン４側のファスナー１０と合流させて通過させることで、各スライダー１４の下部側で各スクリーン４が補助スクリーン２１を介して接合され、上部側でそれぞれ離間する構成となっている。
【００４２】
以上の実施形態では、スクリーン４同士が離間配置されていたとしても、補助スクリーン２１により縁部が接合され、また一つの開閉器８により、各スクリーン４を同時駆動できる利点がある。
【００４３】
＝＝＝第三実施形態（シャフト平行配置型）＝＝＝
図６は、本発明の第三実施形態を示す。同図において、両スクリーン４は平面視同軸であり、側面及び正面視上下平行配置している点が第一実施形態とは異なり、また上部側のスクリーン４の長さを下部側スクリーン４とともに着床時において同一の長さとなるように余長を取っておくことが必要である以外は、第一実施形態と同じであり、天井裏２の高さを高くとることができる場合に好適である。また、本実施形態において、開閉器８は図示しないが、第一実施形態と同じく個別駆動とするか、共用とし、タイミングベルト及びプーリなどで同時駆動すべく連繋させることも可能である。
【００４４】
＝＝＝第四実施形態（シャフト交差配置型）＝＝＝
図７は、本発明の第四実施形態を示す。同図において、一方のスクリーン４は他方のスクリーン４に対して約９０°傾けて配置され、両シャフト７の近接端は両シャフト７に共用のＬ字型軸受ブラケット３０に回転可能に軸受され、かつこの位置に配置した一対の傘歯車３１等の動力伝達機構（確動性がある点で傘歯車３１を採用することが好ましい）により、一方のシャフト７の駆動用開閉器８の回転力を他方のシャフト７に伝達している。
【００４５】
そして、スクリーン４の接近端には、それぞれファスナー１０が設けられ、スクリーン４の下部に設けた図示しないスライダー１４により、下降時にスクリーン同士を接合し、上昇時離間させる点も前記各実施形態と同じである。
【００４６】
なお、ファスナー１０の接合位置では約９０°折曲げられてしまうが、ファスナーテープ１６及びスクリーン４の可撓性に応じて、折曲げに対し十分対応可能である。また、本実施形態においては、一方のシャフト７の回転は他方とは逆向きであるため、逆回転に互いに同方向に下降、上昇すべくスクリーン４の巻取り方向を定めておけばよい。
【００４７】
本実施形態では、アトリウム、エスカレータなどの吹抜け空間全体を防火スクリーン装置で矩形状に囲う場合などにおいて、直交する面などにおいても隣合うスクリーン同士が降下した状態で自動接合するため、ガイドレールを設ける場合に比べて吹抜け空間廻りの意匠性・使い勝手が格段に向上するものとなる。
【００４８】
なお、本実施形態では、約９０°交差するスクリーン４同士の接合に適用した場合を示したが、さらに浅い交差角度に設定することもでき、傘歯車３１をその交差角度に応じた噛合角度のものを選定するか、あるいは交差角度が浅い場合には、ユニバーサルジョイントなどのフレキシブルジョイントで構成してもよく、この場合には交差するシャフトの回転方向が同方向となる。
【００４９】
＝＝＝第五実施形態（スクリーン矯正部材の設置）＝＝＝
図８及び図９は、本発明の第五実施形態を示す。構成は概ね第四実施形態と同じである。両スクリーン４は約９０°又はその他の角度に配置されているので、スクリーン４が下降してファスナー１０同士を接合する際には、左右の噛合素子１７が一直線上に並ぶようにスライダー１４がスクリーン４を曲げて形状を矯正する必要がある。
【００５０】
図１０は、このときの様子を示した図で、接合前が点線で示され、接合中が実線で示されている。また、スクリーン４が上昇してファスナー１０同士の接合を解除する際にも、同様にスクリーン４の曲げが起きる。
【００５１】
このようにスクリーン４を曲げる際には、スクリーン４からスライダー１４に大きな力が加わったり、スライダー１４がテープ１６を噛んだりして、スムースな係合や係合解除が困難になることが予想される。そこで、本実施形態では、スライダー１４の昇降時にスクリーン４の形状を矯正するスクリーン矯正部材４０を設けている。
【００５２】
図１１は、スクリーン矯正部材４０の上面図であり、スライダー１４の中央に支柱４１が取り付けられ、この支柱４１にＹ字状に伸びる腕４２が形成されている。腕４２の先端にはガイド金具４３が設けられ、また支柱４１の付根は、ばね４４を介して取付材４５に連結されている。この取付材４５は、図８で拡大した図からも分かるように、ガイド板１２に固定されている。
【００５３】
このような構成であるため、ファスナー１０の接合前は点線で示すような状態にあった左右のスクリーン４は、下降する際にガイド金具４３により押し広げられるように矯正される。そして、ガイド金具４３とスライダー１４とを結ぶ直線のなす角度を１２０°〜１８０°の範囲に設定することにより、ガイド金具４３で押し広げられた左右のスクリーン４の噛合素子１７は概ね一直線上に並ぶようにすることができる。また、ガイド金具４３とスクリーン４との接触抵抗は小さいので、スクリーン４を容易に昇降させることができ、さらに、噛合素子１７は略平行に並ぶので、スムースに係合させることができる。
【００５４】
ところで、出火時等においては、スクリーン４に風等が吹き当たり揺れることがある。この場合、大きな力がスライダー１４に加わり、ガイド金具４３間のスクリーン４に弛みが生じるように思えるが、支柱４１は、ばね４４を介して取付材４５に取付けられ、かつ、ガイド金具４３とスライダー１４とを結ぶ直線のなす角度が１２０°〜１８０°の範囲に設定されているので、スクリーン４が揺れるとそれに応じてばね４４が変形してガイド金具４３が変位するので上述したようなたわみは生じない。従って、常に左右の噛合素子１７を略平行に並ぶようにすることができる。
【００５５】
なお、上記説明では、腕４２の先端に取り付けられているガイド金具４３は球体であるとの前提で説明したが、ゼリービーンズのような形状であってもよく、ラグビーボールのような形状であってもよい。このような形状であるとスクリーン４の矯正を徐々に行うことができる利点がある。
【００５６】
また、ばね４４以外に、ワイヤやチェーン等の可撓性のある金属材料を用いることも可能である。図１２はチェーン４６を用いた場合を示している。即ち、スクリーン矯正部材４０は、支柱４１がガイド板１２に取付けられた取付材４５に固着され、その先端にチェーン４６が取付けられ、このチェーン４６の先端にスライダー１４が取付られている。従って、スクリーン４が風等により揺れてもチェーン４６が動くので、スライダー１４はスクリーン４の動きに従って揺れ動き噛合素子１７は常に略一直線に並ぶことができる。
【００５７】
また、本実施形態では、図１３に示すようなスクリーン矯正部材４０を用いてもよい。このスクリーン矯正部材４０は、Ｌ状の取付材４５の左右端部にボルトからなる腕４７が並設して挿通されている。腕４７の頭部にはガイド金具４３が設けられ、ガイド金具４３側のナット４８と取付材４５との間にばね４９が遊嵌されて、後部にナット５０が噛合している。そして、腕４７は、ばね４９によりスクリーン４側に付勢されている。
【００５８】
このような構成で、風が吹いてスクリーン４が揺れると、図１４示すように、左右の腕４７がばね４９の付勢力に抗して進退することで左右の噛合素子１７を略一直線上に保持することが可能になる。
【００５９】
＝＝＝第六実施形態（ファスナーカバーの設置）＝＝＝
図１５は、本発明の第六実施形態を示す。ファスナー１０を係合させた状態では通気性は殆ど無くなるが、時には噛合素子１７が欠けてしまっていたりすることもある。また、噛合素子１７が噛み合っている状態でも、僅かに隙間がある場合がある。このような場合には、接合部分での遮炎性能や遮煙性能が低下して好ましくない。
【００６０】
そこで、本実施形態では、この接合部を覆うようにテープ状のファスナーカバー５３を設けて、遮炎性能や遮煙性能の低下を防止している。ファスナーカバー５３は、不燃性、耐火性ないしは難燃性を有する不燃性織布等により形成されて、スクリーン４の接合端部に沿って縫製して取り付けられている。
【００６１】
そして、ファスナー１０が係合した状態では、左右のファスナーカバー５３の先端は所定長さだけ密接して重なるようになっている。この重なり部分Ｋの長さは、ファスナーカバー５３の剛性や表面状態により適宜設定される。これにより炎や煙がファスナー１０の接合部を介して流動するのを防止することが可能となる。
【００６２】
＝＝＝第七実施形態（コーナー規制装置の設置）＝＝＝
図１６〜１８は、本発明の第七実施形態を示す。  
本実施形態のロールスクリーンのジョイント構造において、コーナー規制装置７０は、スクリーン４が所定の交差角（同図では約９０°）をなすコーナー部の内側及び／又は外側の領域に設置された構成となっている。  
このコーナー規制装置７０は、各スクリーン４同士がファスナー１０を介して互いに接合するファスナー接合部が水平移動（図１６における紙面に並行な方向）した際に、スライダー１４を追従して所定領域内にて水平移動させるための装置であり、以下に述べるようにガイドレールを備えている。  
図１６及び１７を参照しながら、コーナー規制装置７０がコーナー部の外側の領域に設置された場合（図１６参照）、及びコーナー規制装置７０が内側の領域に設置された場合（図１７参照）について、各々詳細に説明する。
【００６３】
＜外側の領域に設置された場合＞
図１６は、コーナー規制装置７０がコーナー部の外側の領域に設置された場合のジョイント構造を示す概略図であり、図１６（ａ）は、コーナー部のジョイント構造を示す概略上面図、図１６（ｂ）は、図１６（ａ）のＡ−Ａ線による概略断面図である。
【００６４】
図１６（ａ）に示すように、コーナー規制装置７０は、スライダー１４を所定領域内にて水平移動可能となるように規制するための円弧状のガイドレール７１と、このガイドレール７１に沿ってスライドするスライド部材７２と、このスライド部材７２とスライダー１４とを弾力性を有する状態で引き繋ぐ引き手部材７３とを備えている。
【００６５】
同図において、コーナー規制装置７０は、上記コーナー部の外側の領域、すなわち火災が発生した際に各スクリーン４によって閉鎖される領域（内側の領域）とは反対側の領域に設けられており、この外側領域に位置する軸受けブラケット３０にボルト等で固定されている。  
特に、コーナー部が吹き抜け空間となっている場合には、コーナー規制装置７０を内側の領域に施すことは困難であり、たとえ内側の領域に施したとしても、取替え等のメンテナンス上の問題や意匠性等の問題があるため、コーナー規制装置７０は、コーナー部の外側の領域に設けている。  
但し、コーナー部の外側の領域では、各シャフト７が傘歯車３１等で連結されているため、コーナー規制装置７０がシャフト７等と接触すると、スクリーン４の繰出し巻取り動作が阻害されてしまう。そこで、コーナー規制装置７０を、シャフト７等と接触しないように配置している。
【００６６】
また、図１６（ｂ）に示すように、同図（ａ）のＡ−Ａ線による概略断面図からも、コーナー規制装置７０が、円弧状のガイドレール７１と、スライド部材７２と、引き手部材７３とを備えており、コーナー部の外側の領域に設置されている様子がわかる。  
同図において、ガイドレール７１は、その形状をコーナー部の形状（交差角は約９０°）に合わせて円弧状としている。このようなガイドレール７１としては、直線状の形態等その他の形態であってもよい。なお、ガイドレール７１は、スライダー１４を所定領域内にて水平移動可能となるように規制し得るように、レールの方向、距離、設置箇所、設置数等、適宜設計し得ることは言うまでもない。
【００６７】
また、スライド部材７２は、ガイドレール７１の内側に形成されたコ字状の溝に沿ってスライドすることで、スライダー１４の水平方向の動きに追従して水平移動するようになっている。このようなスライド部材７２としては、ガイドレール７１の外側で噛み合ってスライドするような形態であってもよく、或いはガイドレール７１上を転がるようにした形態であってもよい。
【００６８】
また、引き手部材７３は、スクリーン４を外側へ引っ張り気味にして、スライド部材７２とスライダー１４とを弾力性を有する状態で引き繋いでいる。図１６（ａ）に示すように、引き手部材７３のリング部７３ａは、スライド部材７２のコの字部７２ａと相対位置が変化可能な状態で係合している。詳しくは、引き手部材７３がスクリーン４を外側へ引っ張っているため、引き手部材のリング部７３ａの外側部分が、スライド部材７２のコの字部７２ａの内側部分と係合している。これにより、スライダー１４は、弾力性を有する状態で配置される。
【００６９】
以上説明したように、コーナー規制装置７０を用いることにより、スライダー１４は、スクリーン４の巻ずれ等が生じた場合であっても、生じた巻ずれに所定領域内にて良好に追従して水平移動することができるようになり、スクリーン４の繰出し巻取り動作が良好なものとなる。
【００７０】
これに対し、コーナー規制装置７０がコーナー部に設置されていない場合には、ジョイントされる二枚のスクリーン４が降下・上昇した時に巻ずれ等を生じると、スクリーン４からスライダー１４に大きな力が加わったり、スライダー１４がファスナーテープ等を噛んだりして、スムースな係合や係合解除が困難になることが予想される。
【００７１】
＜内側の領域に設置された場合＞
一方、図１７は、コーナー規制装置７０がコーナー部の内側の領域に設置された場合のジョイント構造を示す概略上面図である。  
図１７においても、コーナー規制装置７０は、スライダー１４を所定領域内にて水平移動可能となるように規制するための円弧状のガイドレール７１と、このガイドレール７１に沿ってスライドするスライド部材７２と、このスライド部材７２とスライダー１４とを弾力性を有する状態で引き繋ぐ引き手部材７３とを備えている。
【００７２】
同図においては、図１６に示すような吹き抜け空間とはなっておらず、天井面や柱等が設けられている。このため、コーナー規制装置７０は、上記コーナー部の内側の領域、すなわち火災が発生した際に各スクリーン４によって閉鎖される領域（内側の領域）に設けられ、この内側の領域に位置する天井面や柱等にボルト等で固定されている。  
また、引き手部材７３としては、図１６に示すものとは異なる形態のもの、即ち、腕部７３ｂを付加したものを用いているが、図１２〜１４に示すような形態のものを用いてもよい。また、第六実施形態に示すようなファスナーカバー５３（図１５参照）を設けてもよい。
【００７３】
なお、本実施形態では、別途図示していないが、コーナー規制装置７０が内側又は外側の一方の領域のみに設けられた場合に限られるものではなく、内側及び外側の双方の領域に設けられた場合も含み得ることは言うまでもない。
【００７４】
このようなコーナー部の内側の領域に設置されたコーナー規制装置７０を用いることによっても、スクリーン４の巻ずれ等が生じた場合に、スライダー１４は、生じた巻ずれに所定領域内にて良好に追従して水平移動することができるようになり、スクリーン４の繰出し巻取り動作が良好なものとなる。
【００７５】
＜スクリーン矯正部材を付加した場合＞
次に、前述したようなコーナー規制装置７０に加えて、同じく前述したようなスクリーン矯正部材を設けた場合について説明する。  
図１８は、このようなコーナー規制装置７０にスクリーン矯正部材（図８参照）を付加した場合のジョイント構造を示す概略上面図である。  
図１８に示すように、スライダー１４は、図８と同様にコーナー部の内側からスクリーン矯正部材４０（図１１参照）で矯正されており、他方、外側にはコーナー規制装置７０が設けられている。  
同図においても、コーナー規制装置７０は、スライダー１４を所定領域内にて水平移動可能となるように規制するための円弧状のガイドレール７１と、このガイドレール７１に沿ってスライドするスライド部材７２と、このスライド部材７２とスライダー１４とを弾力性を有する状態で引き繋ぐ引き手部材７３とを備えている。なお、スクリーン矯正部材４０として、他の形態で示すもの（図１２〜１５参照）を用いてもよい。
【００７６】
＝＝＝第八実施形態（ガイド装置の設置）＝＝＝
図１９は、本発明の第八実施形態を示す。本実施形態のロールスクリーンのジョイント構造は、ガイド装置８０が設置された構成となっている。なお、図１９（ａ）は、コーナー部のジョイント構造を示す概略図、図１９（ｂ）は、図１９（ａ）のＡ−Ａ線による概略断面図である。本実施形態において、第七実施形態と同一箇所には同一符号を付し、異なる箇所あるいは新たに付加される箇所にのみ新たな符号を付して説明する。
【００７７】
図１９（ａ）に示すように、ガイド装置８０は、ファスナー１０を構成するファスナーテープ８１を一定の緊張度及び角度でスライダー１４に繰出し可能とするために、外側の領域に位置する軸受けブラケット３０にボルト等で固定されている。
【００７８】
上記構成の本実施形態において、各シャフト７のスクリーン巻取り軸７４の横幅は、各スクリーン４の横幅よりも広く、各シャフト７のスクリーン巻取り軸７４の横幅からはみ出た領域にある各スクリーン４の隣接縁部に、ファスナーテープ８１が設けられている。このような構成により、ファスナーテープ８１は、通常スクリーン４よりも厚手であるにもかかわらず、前記隣接縁部の巻太りを抑えることができるようになる。
【００７９】
同図において、ガイド装置８０としては、ファスナーテープ８１が繰出され或いは巻取られるとともに回転可能なローラー機構を備えたものであってもよく、或いはガイド装置自体は回転することなく、スクリーン４と接触する面を平滑に仕上げた円筒形状等のようなものであってもよい。このようなガイド装置８０は、外側の領域に位置する軸受けブラケット３０にボルト等で固定されている。なお、ガイド装置８０は、形状（ボール状等）、設置個数、設置箇所、設置形態（ばねで固定した形態等）等、適宜設計し得ることは言うまでもない。
【００８０】
このように構成することにより、スクリーンが動作した時（降下・上昇時）に、ファスナーテープ８１に一定の緊張度（テンション）を与えた状態で、ファスナーテープ８１をスライダー１４に繰り出すことができるようになる。また、スクリーン４の巻径が変化することにより、スライダー１４へのファスナーテープ８１の進入角度が変化してしまうこともない。
【００８１】
すなわち、図１９（ｂ）に示すように、ファスナー部の巻太りやスクリーン４の巻径の変化等に対して、ファスナーテープ８１を一定の緊張度（テンション）及び角度でスライダー１４に繰出すことができるようになる（ｄ１≒ｄ２，θ１≒θ２）。その結果、スクリーン４の繰出し動作がより良好なものとなる。さらに、スクリーン４は、繰出口付近に設けられた煙返し等と接しながら繰出されるため、火災等によって発生した煙が、天井面等に設けられた繰出口から逃げてしまうことはない。従って、火災等によって発生した煙は、スクリーン４で囲まれた内側の領域に完全に封鎖されることになる。
【００８２】
なお、本実施形態におけるガイド装置８０は、第四実施形態のようにシャフト７が交差して配置された場合（図７，８参照）のみならず、第三実施形態のようにシャフト７が平行に配置された場合（図１，６参照）にも適用することができる。
【００８３】
＝＝＝第九実施形態（コーナー部付近の座板構成）＝＝＝
図２０は、本発明の第九実施形態を示す。本実施形態では、他の実施形態と同様（図９参照）、ウェイト兼用の座板９０がスクリーン下端部に取り付けられているものの、コーナー部付近の座板９０の構成は、他の実施形態とは異なる。なお、スクリーン上端部のジョイント構造それ自体は、他の実施形態と同様の構成となっている。
【００８４】
図２０に示すように、ウェイト兼用の座板９０は、各スクリーン４の下端部に設けられている。本実施形態における座板９０は、L字型のコーナー座板９１と、このコーナー座板９１に隣接して設けられる座板ピース９２とに分割され、両者の間には、熱膨張を吸収するための間隙９３が設けられている。
【００８５】
このウェイト兼用の座板９０は、図２及び図６に示す座板９と同様、一定の重量を有する金属製のフラットバーをスクリーン４の下端部の両側から挟みこんでボルト等で締結することによって、スクリーン下端部に設けられている。
【００８６】
上記構成の本実施形態において、間隙９３は、座板９０の内側及び外側の双方に設けられているものの、座板９０の両側は、ともに化粧板等（図２及び図６参照）で覆われているため、火災時に発生したガスや熱がこの間隙９３から逃げてしまうことはない。なお、このような間隙９３の設置数や設置箇所、隙間の大きさや形状等、適宜設計し得ることは言うまでもない。
【００８７】
同図において、間隙９３をコーナー部に設けることも考えられるが、この場合には、コーナー部付近の交差角に変形等が生じやすく、かえってスクリーン上端部のファスナー接合部等にひずみが生じてしまう。また、意匠性が悪くなり、生産性が低下してしまう等の問題もある。このため、特にコーナー部の頂点部付近には、間隙を設けないことが好ましい。
【００８８】
ところで、座板９０を分割しない場合には、火災時にウェイト兼用の座板９０が内側、あるいは外側から加熱を受けると、熱を受ける側と熱を受けない側の熱膨張率が異なるため、座金が大きくたわむという現象が生じる（座板の熱変形）。このようにスクリーン下端部の座板が熱変形すると、座板と床面との間に隙間が生じる可能性や、熱変形した座板の近傍のスクリーンやファスナー接合部に応力が生じて破損する可能性があり、遮炎性上問題がある。
【００８９】
本実施形態では、座板９０を、L字型のコーナー座板９１と、このコーナー座板９１に隣接して設けられる座板ピース９２とに分割し、両者の間に、熱膨張を吸収するための間隙９３を設けているため、この間隙９３によって熱膨張を吸収し、座板の熱変形を極力防止することができるようになる。
【００９０】
これにより、スクリーン下端部の座板が熱膨張した場合にも大きくたわむことはなく、また、座板と床面との間に隙間が生じる可能性や、熱変形した座板の近傍のスクリーンやファスナー接合部に応力が生じて破損する可能性もなくなり、良好な遮炎性能を保持することができる。
【図面の簡単な説明】
【００９１】
【図１】本発明の第一実施形態によるロールスクリーンの平面図である。
【図２】図１のＡ−Ａ線による側断面図である。
【図３】図２のＢ視拡大正面図である。
【図４】本発明の第二実施形態によるロールスクリーンを示す平面図である。
【図５】図４のＣ視拡大正面図である。
【図６】本発明の第三実施形態によるロールスクリーンを示す斜視図である。
【図７】本発明の第四実施形態によるロールスクリーンを示す斜視図である。
【図８】本発明の第五実施形態によるロールスクリーンを示す上面図である。
【図９】図８のロールスクリーンの側面図である。
【図１０】ファスナーの係合前後の状態を説明する模式図である。
【図１１】スクリーン矯正部材の構成を示す上面図である。
【図１２】他の構成のスクリーン矯正部材の構成を示す上面図である。
【図１３】他の構成のスクリーン矯正部材の構成を示す上面図である。
【図１４】スクリーンが揺れた場合のスクリーン矯正部材の動きを示す図である。
【図１５】ファスナーカバーを取付けた状態を示す図である。
【図１６】コーナー規制装置が外側に設置されたジョイント構造を示す概略図である。
【図１７】コーナー規制装置が内側に設置されたジョイント構造を示す概略図である。
【図１８】コーナー規制装置にスクリーン矯正部材を付加した場合のジョイント構造を示す概略上面図である。
【図１９】本発明の第八実施形態によるロールスクリーンを示す図である。
【図２０】本発明の第九実施形態によるコーナー部付近の座板を示す概略図である。
【符号の説明】
【００９２】
４  スクリーン                      ６，２３，３０  軸受ブラケット
７  シャフト                        １０  ファスナー
１３  連結用ばね                    １４  スライダー
１６，８１  （ファスナー）テープ    １７  噛合素子
２０  ジョイント金具                ２１  補助スクリーン
２２  補助シャフト                  ３０  Ｌ字型軸受ブラケット
３１  傘歯車（回転伝達手段）        ４０  スクリーン矯正部材
４１  支柱                          ４２，４７  腕
４３  ガイド金具                    ４４，４９  ばね
４５  取付材                        ４６  チェーン
５３  ファスナーカバー              ７０  コーナー規制装置
７１  ガイドレール                  ７２  スライド部材
７３  引き手部材                    ７４  スクリーン巻取り軸
８０  ガイド装置                    ９０  ウェイト兼用の座板
９１  L字型のコーナー座板          ９２  座板ピース
９３  間隙
【図１】
2006022635.tif 000003
【図２】
2006022635.tif 000004
【図３】
2006022635.tif 000005
【図４】
2006022635.tif 000006
【図５】
2006022635.tif 000007
【図６】
2006022635.tif 000008
【図７】
2006022635.tif 000009
【図８】
2006022635.tif 000010
【図９】
2006022635.tif 000011
【図１０】
2006022635.tif 000012
【図１１】
2006022635.tif 000013
【図１２】
2006022635.tif 000014
【図１３】
2006022635.tif 000015
【図１４】
2006022635.tif 000016
【図１５】
2006022635.tif 000017
【図１６】
2006022635.tif 000018
【図１７】
2006022635.tif 000019
【図１８】
2006022635.tif 000020
【図１９】
2006022635.tif 000021
【図２０】
2006022635.tif 000022